(57)【特許請求の範囲】
【請求項１】
ワークを加工液に浸漬しつつ該ワークと工具電極との間に形成される極間に、前記ワークが正電位となり前記工具電極が負電位となる正極性および前記ワークが負電位となり前記工具電極が正電位となる逆極性の両極性を有する交流電圧を印加して放電を発生させ前記ワークの放電加工を行う放電加工機において、前記極間に交流電圧を印加する電源を有するとともに、前記電源のプラス側と前記ワークとの間を接続する第１の接続に設けられる第１のスイッチと、前記電源のプラス側と前記工具電極との間を接続する第２の接続に設けられる第２のスイッチと、前記ワークと前記電源のマイナス側との間を接続する第３の接続に設けられる第３のスイッチと、前記工具電極と前記電源のマイナス側との間を接続する第４の接続に設けられる第４のスイッチと、を有し、前記第１のスイッチと前記第４のスイッチとが第１の組をなし、前記第２のスイッチと前記第３のスイッチとが第２の組をなし、前記第１の組のスイッチをオン状態とし前記第２の組のスイッチをオフ状態として前記正極性の電圧の印加を、前記第１の組のスイッチをオフ状態とし前記第２の組のスイッチをオン状態として前記逆極性の電圧の印加を、それぞれ交互に繰り返し行い、前記正極性の電圧を印加している間は、前記第１の組をなす前記第１のスイッチおよび前記第４のスイッチのうちいずれか一方のオン時間を相対的に長く設定し、かつ、いずれか他方はオン時間を相対的に短く設定して前記いずれか一方がオンしている間オンオフを繰り返し行い、前記逆極性の電圧を印加している間は、前記第２の組をなす前記第２のスイッチおよび前記第３のスイッチのうちいずれか一方のオン時間を相対的に長く設定し、かつ、いずれか他方はオン時間を相対的に短く設定して前記いずれか一方がオンしている間オンオフを繰り返し行うことを特徴とする放電加工機。
【請求項２】
前記第１の接続または前記第４の接続および前記第２の接続または前記第３の接続に、それぞれ所定の規定電圧でオンオフする第５のスイッチおよび第６のスイッチを設けることを特徴とする請求項１に記載の放電加工機。
【請求項３】
前記第５のスイッチおよび前記第６のスイッチは、バイポーラトランジスタとし、前記第５のスイッチおよび前記第６のスイッチのベース側に所定の電圧を印加してオンオフすることを特徴とする請求項２に記載の放電加工機。
【請求項４】
前記第５のスイッチのベース側は、前記第１の接続または前記第４の接続に接続され、前記第６のスイッチのベース側は、前記第２の接続または前記第３の接続に接続されることを特徴とする請求項３に記載の放電加工機。
【請求項５】
前記ベース側に抵抗を接続することを特徴とする請求項４に記載の放電加工機。
【請求項６】
前記正極性の電圧を印加している間、前記オフ状態にある前記第２の組のスイッチをなす前記第２のスイッチおよび前記第３のスイッチのいずれか一方をオンし、前記逆極性の電圧を印加している間、前記オフ状態にある前記第１の組のスイッチをなす前記第１のスイッチおよび前記第４のスイッチのいずれか一方をオンすることを特徴とする請求項１に記載の放電加工機。
【請求項７】
前記正極性の電圧を印加しているときにオンされている前記第２の組のいずれか一方のスイッチのオン時間を、前記正極性の電圧を印加しているときにオンオフを繰り返し行っている前記第１の組のいずれか他方のスイッチのオン時間に対しタイミングをずらして設定し、前記逆極性の電圧を印加しているときにオンされている前記第１の組のいずれか一方のスイッチのオン時間を、前記逆極性の電圧を印加しているときにオンオフを繰り返し行っている第２の組のいずれか他方のスイッチのオン時間に対しタイミングをずらして設定することを特徴とする請求項６に記載の放電加工機。
【請求項８】
前記タイミングをずらして行う前記第２の組のいずれか一方のスイッチのオン時間を、前記正極性の電圧を印加しているときにオンオフを繰り返し行っている前記第１の組のいずれか他方のスイッチのオン時間の終了と同時に開始、前記第１の組のいずれか他方のスイッチのオン時間の開始前からオン時間の終了前まで、前記第１の組のいずれか他方のスイッチのオン時間の終了前からオン時間の終了後まで、のいずれかに設定し、前記タイミングをずらして行う前記第１の組のいずれか一方のスイッチのオン時間を、前記逆極性の電圧を印加しているときにオンオフを繰り返し行っている前記第２の組のいずれか他方のスイッチのオン時間の終了と同時に開始、前記第２の組のいずれか他方のスイッチのオン時間の開始前からオン時間の終了前まで、前記第２の組のいずれか他方のスイッチのオン時間の終了前からオン時間の終了後まで、のいずれかに設定することを特徴とする請求項７に記載の放電加工機。
【請求項９】
前記電源は、前記第１の組のスイッチを介して前記極間に正極性の電圧を印加する第１の電源と、前記第２の組のスイッチを介して前記極間に逆極性の電圧を印加する第２の電源を有することを特徴とする請求項８に記載の放電加工機。
【発明の詳細な説明】
【技術分野】
【０００１】
本発明は、放電加工機に関し、特に、極間に両極性の交流電圧を印加する放電加工機であってインピーダンスの整合回路を省略して回路構成の簡素化を図りつつも加工を安定化させることができる放電加工機に関する。
【背景技術】
【０００２】
近年、電食防止および低面粗度化を実現すべく、該ワークと工具電極より詳しくはワイヤ電極との間に形成される極間に両極性の高周波交流電圧を印加して加工を行う放電加工機が広く知られ普及してきている。このような放電加工機においては、加工間隙、加工面積の変化や放電状態の変化により、極間のインピーダンスが大幅に変化して無負荷電圧が十分に立ち上がらない等、出力が低下して加工が不安定になることがあった。
【０００３】
そこで、従来は、インピーダンスの整合回路を設けて出力の低下に対しインピーダンスを自動調整することができる放電加工機が採用されている。このような放電加工機は例えば特許文献１および特許文献２に開示される技術が参照される。
【先行技術文献】
【特許文献】
【０００４】
【特許文献１】特許第２９１４１０４号公報
【特許文献２】特許第３３６０６１９号公報
【発明の開示】
【発明が解決しようとする課題】
【０００５】
しかしながら、近年は価格競争の激化から装置の更なるコストダウンが要請されており、インピーダンスの整合回路を省略して回路構成の簡素化を図りつつも出力の低下を防止することができる技術の開発が強く望まれている。
【０００６】
本発明はこのような事情に鑑みてなされたもので、インピーダンスの整合回路を省略して回路構成の簡素化を図りつつも出力の低下を防止して加工を安定化させることができる放電加工機を提供することを目的とする。
【課題を解決するための手段】
【０００９】
上記目的を達成するために、放電加工機に係る請求項１の発明は、ワークを加工液に浸漬しつつ該ワークと工具電極との間に形成される極間に、ワークが正電位となり工具電極が負電位となる正極性およびワークが負電位となり工具電極が正電位となる逆極性の両極性を有する交流電圧を印加して放電を発生させワークの放電加工を行う放電加工機において、極間に交流電圧を印加する電源を有するとともに、電源のプラス側とワークとの間を接続する第１の接続に設けられる第１のスイッチと、電源のプラス側と工具電極との間を接続する第２の接続に設けられる第２のスイッチと、ワークと電源のマイナス側との間を接続する第３の接続に設けられる第３のスイッチと、工具電極と電源のマイナス側との間を接続する第４の接続に設けられる第４のスイッチと、を有し、第１のスイッチと第４のスイッチとが第１の組をなし、第２のスイッチと第３のスイッチとが第２の組をなし、第１の組のスイッチをオン状態とし第２の組のスイッチをオフ状態として正極性の電圧の印加を、第１の組のスイッチをオフ状態とし第２の組のスイッチをオン状態として逆極性の電圧の印加を、それぞれ交互に繰り返し行い、正極性の電圧を印加している間は、第１の組をなす第１のスイッチおよび第４のスイッチのうちいずれか一方のオン時間を相対的に長く設定し、かつ、いずれか他方はオン時間を相対的に短く設定していずれか一方がオンしている間オンオフを繰り返し行い、逆極性の電圧を印加している間は、第２の組をなす第２のスイッチおよび第３のスイッチのうちいずれか一方のオン時間を相対的に長く設定し、かつ、いずれか他方はオン時間を相対的に短く設定していずれか一方がオンしている間オンオフを繰り返し行うことを特徴とする。
【００１０】
本発明によれば、第１の組のスイッチをオン状態とし第２の組のスイッチをオフ状態として正極性の電圧の印加を、第１の組のスイッチをオフ状態とし第２の組のスイッチをオン状態として逆極性の電圧の印加を、それぞれ交互に繰り返し行い、正極性の電圧を印加している間は、第１の組をなす第１のスイッチおよび第４のスイッチのうちいずれか一方のオン時間を相対的に長く設定し、かつ、いずれか他方はオン時間を相対的に短く設定していずれか一方がオンしている間オンオフを繰り返し行い、逆極性の電圧を印加している間は、第２の組をなす第２のスイッチおよび第３のスイッチのうちいずれか一方のオン時間を相対的に長く設定し、かつ、いずれか他方はオン時間を相対的に短く設定していずれか一方がオンしている間オンオフを繰り返し行うこととしたので、低周波数での極性切り替えとなり、インピーダンスの影響を小さくして放電を発生させるために十分な無負荷電圧を極間に印加することができるとともに、放電発生後は短パルスの放電電流の供給も可能となり、低面粗度化も実現することができる。これにより、インピーダンスの整合回路を省略して回路構成の簡素化を図りつつも出力の低下を防止して加工を安定化させることができる。
【００１１】
第１の接続または第４の接続および第２の接続または第３の接続に、それぞれ所定の規定電圧でオンオフする第５のスイッチおよび第６のスイッチを設けることとすれば、規定電圧を適宜に設定することにより、放電電流の供給に支障を来たすことなく、第１のスイッチ乃至第４のスイッチの保護も適切に行うことができる（請求項２）。
【００１２】
第５のスイッチおよび第６のスイッチは、バイポーラトランジスタとし、第５のスイッチおよび第６のスイッチのベース側に所定の電圧を印加してオンオフすることができる（請求項３）。
【００１３】
第５のスイッチのベース側は、第１の接続または第４の接続に接続され、第６のスイッチのベース側は、第２の接続または第３の接続に接続されることとすることができる（請求項４）。
【００１４】
ベース側に抵抗を接続することとすれば、極間における無負荷電圧印加時の加工液を介しての電流リークを適切に防止して十分な無負荷電圧を印加することができる等、更なる加工の安定化に寄与することができる（請求項５）。  
【００１５】
正極性の電圧を印加している間、オフ状態にある第２の組のスイッチをなす第２のスイッチおよび第３のスイッチのいずれか一方をオンし、逆極性の電圧を印加している間、オフ状態にある第１の組のスイッチをなす第１のスイッチおよび第４のスイッチのいずれか一方をオンすることとすれば、放電電流の一部をバイパスさせて極間に流れる電流を小さくすることができ、更なる低面粗度化を実現することができる（請求項６）。
【００１６】
正極性の電圧を印加しているときにオンされている第２の組のいずれか一方のスイッチのオン時間を、正極性の電圧を印加しているときにオンオフを繰り返し行っている第１の組のいずれか他方のスイッチのオン時間に対しタイミングをずらして設定し、逆極性の電圧を印加しているときにオンされている第１の組のいずれか一方のスイッチのオン時間を、逆極性の電圧を印加しているときにオンオフを繰り返し行っている第２の組のいずれか他方のスイッチのオン時間に対しタイミングをずらして設定することとすれば、極間を流れる電流波形形状を変化させることが可能となり、無負荷電圧と面粗度との関係を自由に組み合わせることができる（請求項７）。
【００１７】
タイミングをずらして行う第２の組のいずれか一方のスイッチのオン時間を、正極性の電圧を印加しているときにオンオフを繰り返し行っている第１の組のいずれか他方のスイッチのオン時間の終了と同時に開始、第１の組のいずれか他方のスイッチのオン時間の開始前からオン時間の終了前まで、第１の組のいずれか他方のスイッチのオン時間の終了前からオン時間の終了後まで、のいずれかに設定し、タイミングをずらして行う第１の組のいずれか一方のスイッチのオン時間を、逆極性の電圧を印加しているときにオンオフを繰り返し行っている第２の組のいずれか他方のスイッチのオン時間の終了と同時に開始、第２の組のいずれか他方のスイッチのオン時間の開始前からオン時間の終了前まで、第２の組のいずれか他方のスイッチのオン時間の終了前からオン時間の終了後まで、のいずれかに設定することができる（請求項８）。
【００１８】
電源は、第１の組のスイッチを介して極間に正極性の電圧を印加する第１の電源と、第２の組のスイッチを介して極間に逆極性の電圧を印加する第２の電源を有することとすれば、正極性と逆極性の電圧の印加を異なる電源で行うことができ、柔軟な極間の電圧制御を実現することができる（請求項９）。
【発明の効果】
【００１９】
本発明によれば、インピーダンスの整合回路を省略して回路構成の簡素化を図りつつも出力の低下を防止して加工を安定化させることができる。
【図面の簡単な説明】
【００２０】
【図１】本発明の第１実施形態に係るワイヤ放電加工機の全体概要を示す構成図である。
【図２】同ワイヤ放電加工機の回路構成を示す図である。
【図３】正極性側の電圧が印加される場合の回路動作を示す図である。
【図４】逆極性側の電圧が印加される場合の回路動作を示す図である。
【図５】第１乃至第４のスイッチの動作および電圧波形を示す図である。
【図６】第１乃至第４のスイッチの動作および電流波形を示す図である。
【図７】第５および第６のスイッチ（バイポーラトランジスタ）の動作を示す図である。
【図８】バイポーラトランジスタの効果を説明するための図であり、（ａ）はベース側に抵抗を接続していない場合の回路構成、（ｂ）はベース側に抵抗を接続した場合の回路構成、を示す図である。
【図９】バイポーラトランジスタの効果を説明するための図であり、（ａ）は従来の回路構成、（ｂ）は従来の回路構成に基づく電流波形、（ｃ）は本願発明の回路構成、（ｄ）は本願発明の回路構成に基づく電流波形、を示す図である。
【図１０】本発明の第２実施形態に係る正極性側の電圧が印加される場合の回路動作を示す図である。
【図１１】本発明の第２実施形態に係る逆極性側の電圧が印加される場合の回路動作を示す図である。
【図１２】同第１乃至第４のスイッチの動作および電圧波形を示す図である。
【図１３】本発明の第３実施形態に係るワイヤ放電加工機の回路構成を示す図である。
【図１４】本発明の第３実施形態に係る正極性側の電圧が印加される場合の回路動作を示す図である。
【図１５】本発明の第３実施形態に係る逆極性側の電圧が印加される場合の回路動作を示す図である。
【発明を実施するための形態】
【００２１】
以下、本発明の実施の形態について図面を参照して詳細に説明する。図１は本発明の第１実施形態を示すワイヤ放電加工機の概略を示す構成図である。同図を参照してワイヤ放電加工機１の概要を説明すると、ワイヤ放電加工機１は、ベース２と、ベース２の後部から立設するコラム３と、コラム３の前面上部に装着される加工ヘッド４と、ベース２の前部に載置される加工槽５と、加工槽５に収容されワークＷを保持するワークテーブル６と、を有している。加工ヘッド４には上側ガイド組体７が、コラム３の前面下部には下側ガイド組体８が、ワークＷを挟むように備えられている。
【００２２】
ワイヤ放電加工機１は、上側ガイド組体７と下側ガイド組体８との間に工具電極としてのワイヤ電極Ｅを連続的に供給し、ワークＷを加工槽５において水系加工液（以下、水系加工液を単に加工液とする）に浸漬しつつワイヤ電極EとワークＷとの間に形成される極間９に放電を発生させて放電加工を行う構成となっている。ワークＷの放電加工は、ＮＣ制御装置１０からの制御信号に基づいて電源回路２０を動作させて極間９に所定の電圧を印加して行われる。
【００２３】
図２に示すように、電源回路２０は、極間９に放電を発生させるための高周波両極性交流電圧を印加すべく、電源３０とスイッチング回路４０を備えている。本発明においては、交流の周波数は相対的に小さく、放電の発生後に極間９に供給されるパルス電流の周波数は相対的に大きく設定される。
【００２４】
すなわち、スイッチング回路４０は、第１のスイッチ４１乃至第４のスイッチ４４を有している。第１のスイッチ４１は、電源３０のプラス側とワークWとの間を接続する第１の接続５１に設けられている。第２のスイッチ４２は、電源３０のプラス側とワイヤ電極Ｅとの間を接続する第２の接続５２；より詳しくは第１の接続５１のうち電源３０のプラス側と第１のスイッチ４１の入力側との間の接続とワイヤ電極Ｅとの間を接続する第２の接続５２；に設けられている。第３のスイッチ４３は、ワークＷと電源３０のマイナス側との間を接続する第３の接続５３；より詳しくは第１の接続５１のうち第１のスイッチ４１の出力側とワークＷとの間の接続と電源３０のマイナス側との間を接続する第３の接続５３；に設けられている。第４のスイッチ４４は、ワイヤ電極Ｅと電源３０のマイナス側との間を接続する第４の接続５４；より詳しくは第２の接続５２のうち第２のスイッチ４２の出力側とワイヤ電極Ｅとの間の接続と第３の接続５３のうち第３のスイッチ４３の出力側と電源３０のマイナス側との間の接続を接続する第４の接続５４；に設けられている。第１のスイッチ４１と第４のスイッチ４４とが第１の組６０をなし、第２のスイッチ４２と第３のスイッチ４３とが第２の組７０をなしている。第１の組６０および第２の組７０はそれぞれ対のスイッチとして動作する。
【００２５】
つまり、本発明においては、図３に示すように、第１の組６０のスイッチ４１，４４をオン状態とし第２の組７０のスイッチ４２，４３をオフ状態として極間９に正極性の電圧の印加を行う。また、図４に示すように、第１の組６０のスイッチ４１，４４をオフ状態とし第２の組７０のスイッチ４２，４３をオン状態として極間９への逆極性の電圧の印加を行う。この正極性および逆極性の電圧の印加をそれぞれ交互に繰り返し行う。
【００２６】
図５に示すように、正極性の電圧を印加している間は、第１の組６０をなす第１のスイッチ４１のオン時間を相対的に長く設定し、かつ、第４のスイッチ４４のオン時間を相対的に短く設定し、第１のスイッチ４１がオンしている間は、第４のスイッチ４４のオンオフを繰り返し行う。また、逆極性の電圧を印加している間は、第２の組７０をなす第２のスイッチ４２のオン時間を相対的に長く設定し、かつ、第３のスイッチ４３のオン時間を相対的に短く設定し、第２のスイッチ４２がオンしている間は、第３のスイッチ４３のオンオフを繰り返し行う。
【００２７】
これにより、低周波数での極性切り替えとなり、インピーダンスの影響を小さくして放電を発生させるために十分な無負荷電圧を極間９に印加することができる。また、図６に示すように、放電発生後は短パルスの放電電流の供給も可能となり、低面粗度化も実現することができる。よって、インピーダンスの整合回路を省略して回路構成の簡素化を図りつつも出力の低下を防止して加工を安定化させることができる。なお、第１のスイッチ４１乃至第４のスイッチ４４には、ＭＯＳＦＥＴスイッチングトランジスタが採用される。
【００２８】
更に、ワイヤ放電加工機１には、第４の接続５４および第３の接続５３に、それぞれ所定の電圧でオンオフする第５のスイッチ４５および第６のスイッチ４６が設けられている。すなわち、第５のスイッチ４５および第６のスイッチ４６は、それぞれ第４のスイッチ４４および第３のスイッチ４３の入力側に設けられており、バイポーラトランジスタが採用されている。
【００２９】
つまり、第５のスイッチ４５および第６のスイッチ４６は、ベース側に所定の電圧を入力することによりオンオフされる。より詳しくは、図７に示すように、ベース側に入力された電圧が規定電圧以下のときはコレクタ・エミッタ間がオフ（図７（ａ））となり、規定電圧を超えるときはコレクタ・エミッタ間がオン（図７（ｂ））となる。
【００３０】
本発明においては、第５のスイッチ４５のベース側は、第４の接続５４からの分岐５５と接続し、第６のスイッチ４６のベース側は、第３の接続５３からの分岐５６と接続しており、ベース側に入力された電圧が規定電圧を超えてコレクタ・エミッタ間がオンされ同コレクタ・エミッタ間に電流が流れると、ベース側の電圧が低下する。この電圧の低下によりベース側が規定電圧以下になるとコレクタ・エミッタ間がオフとなって同コレクタ・エミッタ間の電流の流れが停止し、ベース側の電圧が上昇する。この電圧の上昇によりベース側が規定電圧を超えるとコレクタ・エミッタ間がオンとなり同コレクタ・エミッタ間に電流が流れる。以下このようなスイッチのオンオフが繰り返し行われ回路を流れる電流が一定に制御される。すなわち、規定電圧を適宜に設定することにより、放電電流の供給に支障を来たすことなく、第１のスイッチ４１乃至第４のスイッチ４４の保護も適切に行うことができる。
【００３１】
分岐５５，５６には、それぞれ抵抗５７，５８が設けられており、ベース側に流れる電流を更に制限する構成となっている。すなわち、無負荷電圧の印加時にあっても、極間９においては加工液を介してリーク電流が発生し流れてしまう。図８（ａ）に示すように、抵抗を介さずに第３の接続５３または第４の接続５４の分岐５５，５６とベース側を単に接続したならば、リーク電流がベース側を介して回路に流れてしまい、十分な無負荷電圧が得られず放電の発生に支障を来たすことがある。
【００３２】
これに対し、図８（ｂ）に示すように、分岐５５，５６に抵抗５７，５８を設けてベース側に抵抗５７，５８を接続し、ベース側の規定電圧を適宜に設定することにより、コレクタ・エミッタ間にリーク電流が流れないのは勿論、ベース側におけるリーク電流の流れも大幅に低減させることができ、十分な無負荷電圧を印加することができる。これにより、更なる加工の安定化に寄与することができる。
【００３３】
なお、図９（ａ）に示すように、従来の如く、抵抗４７，４８を介して第１のスイッチ４１乃至第４のスイッチ４４を保護する場合にあっては、図９（ｂ）に示すように、放電発生時のパルス電流は、立ち上がりが緩やかで、電流値も相対的に低くなる。これに対し、図９（ｃ）に示すように、本発明の如く抵抗４７，４８に代えてバイポーラトランジスタとした場合にあっては、コレクタ・エミッタ間には抵抗は設けられておらず、図９（ｄ）に示すように、放電発生時のパルス電流は、立ち上がりが急峻で、電流値も相対的に高くなる。
【００３４】
次に本発明の第２実施形態について図１０乃至図１２に基づいて説明する。本発明の第２実施形態は、オフ状態にある他方の組のスイッチのうちいずれか一方をオンとする構成を示す。
すなわち、本発明の第２実施形態は、図１０に示すように、正極性の電圧を印加している間、オフ状態にある第２の組７０のスイッチをなす第３のスイッチ４３をオンし、図１１に示すように、逆極性の電圧を印加している間、オフ状態にある第１の組６０のスイッチをなす第４のスイッチ４４をオンする構成を示している。つまり、このような構成とすることで、放電電流の一部をバイパスさせて極間９に流れる電流を小さくすることができ、更なる低面粗度化を実現することができる。
【００３５】
ここで、図１２に示すように、正極性の電圧を印加しているときにオンされている第３のスイッチ４３のオン時間を、正極性の電圧を印加しているときにオンオフを繰り返し行っている第４のスイッチ４４のオン時間に対しタイミングをずらして設定し、逆極性の電圧を印加しているときにオンされている第４のスイッチ４４のオン時間を、逆極性の電圧を印加しているときにオンオフを繰り返し行っている第３のスイッチ４３のオン時間に対しタイミングをずらして設定することとすれば、極間９を流れる電流波形形状を変化させることが可能となり、無負荷電圧と面粗度との関係を自由に組み合わせることができる。
【００３６】
なお、タイミングをずらして行う第３のスイッチ４３のオン時間は、正極性の電圧を印加しているときにオンオフを繰り返し行っている第４のスイッチ４４のオン時間の終了と同時に開始（図１２のケースＡ）、第４のスイッチ４４のオン時間の開始前からオン時間の終了前まで（図１２のケースＢ）、第４のスイッチ４４のオン時間の終了前からオン時間の終了後まで（図１２のケースＣ）、のいずれかに設定することができる。
【００３７】
また、タイミングをずらして行う第４のスイッチ４４のオン時間も同様に、逆極性の電圧を印加しているときにオンオフを繰り返し行っている第３のスイッチ４３のオン時間の終了と同時に開始（図１２のケースＤ）、第３のスイッチ４３のオン時間の開始前からオン時間の終了前まで（図１２のケースＥ）、第３のスイッチ４３のオン時間の終了前からオン時間の終了後まで（図１２のケースＦ）、のいずれかに設定することができる。
【００３８】
つまり、図１２のケースＡ，Ｄにおいては、低下が急激な電流波形を形成することができる。また、図１２のケースＢ，Ｅにおいては、立ち上がりが緩やかな電流波形を形成することができる。更に、図１２のケースＣ，Ｆにおいては、ピーク付近で立ち上がりが緩やかで低下が急激な電流波形を形成することができる。
【００３９】
次に本発明の第３実施形態について図１３乃至図１５に基づいて説明する。すなわち、本発明の第３実施形態は、第１の電源３１と第２の電源３２を有し、第１の電源３１は第１の組６０のスイッチを介して極間９に正極性の電圧を印加し、第２の電源３２は第２の組７０のスイッチを介して極間９に電圧を印加する。このような構成とすることで、正極性と逆極性の電圧の印加を異なる電源３１，３２で行うことができ、柔軟な極間９の電圧制御を実現することができる。
【００４０】
なお、本発明は上述した実施形態に限定されるものではなく、必要に応じて種々の応用実施または変形実施が可能であることは勿論である。
例えば、上述した第１実施形態乃至第３実施形態にあっては、正極性の電圧を印加している間は、第１の組６０をなす第１のスイッチ４１のオン時間を相対的に長く設定し、かつ、第４のスイッチ４４はオン時間を相対的に短く設定して第１のスイッチ４１がオンしている間オンオフを繰り返し行い、逆極性の電圧を印加している間は、第２の組７０をなす第２のスイッチ４２のオン時間を相対的に長く設定し、かつ、第３のスイッチ４３はオン時間を相対的に短く設定して第２のスイッチ４２がオンしている間オンオフを繰り返し行うこととしているが、正極性の電圧を印加している間は、第１の組６０をなす第４のスイッチ４４のオン時間を相対的に長く設定し、かつ、第１のスイッチ４１はオン時間を相対的に短く設定して第４のスイッチ４４がオンしている間オンオフを繰り返し行い、逆極性の電圧を印加している間は、第２の組７０をなす第３のスイッチ４３のオン時間を相対的に長く設定し、かつ、第２のスイッチ４２はオン時間を相対的に短く設定して第３のスイッチ４３がオンしている間オンオフを繰り返し行うこととしてもよい。
【００４１】
また、上述した第１実施形態乃至第３実施形態にあっては、第３の接続５３および第４の接続５４にそれぞれバイポーラトランジスタを設けることとしているが、これに代えて第１の接続５１および第２の接続５２にバイポーラトランジスタを設けることとしてもよい。
【００４２】
更に、上述した第２実施形態にあっては、正極性の電圧を印加している間、オフ状態にある第２の組７０のスイッチをなす第３のスイッチ４３をオンし、逆極性の電圧を印加している間、オフ状態にある第１の組６０のスイッチをなす第４のスイッチ４４をオンすることとしているが、これに代えて、正極性の電圧を印加している間、オフ状態にある第２の組７０のスイッチをなす第２のスイッチ４３をオンし、逆極性の電圧を印加している間、オフ状態にある第１の組６０のスイッチをなす第１のスイッチ４４をオンすることとしてもよい。
【産業上の利用可能性】
【００４３】
本発明は、極間に両極性の交流電圧を印加する放電加工機において、インピーダンスの整合回路を省略して回路構成の簡素化を図る場合に役立つ。
【符号の説明】
【００４４】
Ｅ：ワイヤ電極
Ｗ：ワーク
１：ワイヤ放電加工機
２：ベース
３：コラム
４：加工ヘッド
５：加工槽
６：ワークテーブル
７：上側ガイド組体
８：下側ガイド組体
９：極間
１０：ＮＣ制御装置
２０：電源回路
３０：電源
３１：第１の電源
３２：第２の電源
４０：スイッチング回路
４１：第１のスイッチ
４２：第２のスイッチ
４３：第３のスイッチ
４４：第４のスイッチ
４５：第５のスイッチ
４６：第６のスイッチ
４７，４８：抵抗
５１：第１の接続
５２：第２の接続
５３：第３の接続
５４：第４の接続
５５，５６：分岐
５７，５８：抵抗
６０：第１の組
７０：第２の組
【要約】
【課題】  インピーダンスの整合回路を省略して回路構成の簡素化を図りつつも出力の低下を防止して加工を安定化させることができる。
【解決手段】  ワークＷを加工液に浸漬しつつ該ワークＷと工具電極Ｅとの間に形成される極間９に、ワークＷが正電位となり工具電極Ｅが負電位となる正極性およびワークＷが負電位となり工具電極Ｅが正電位となる逆極性の両極性を有する交流電圧を印加して放電を発生させワークＷの放電加工を行う放電加工機１において、交流の周波数を相対的に小さく、放電の発生後に極間９に供給されるパルス電流の周波数を相対的に大きく設定する。
【選択図】  図５【図１】
0005389994.tif 000002
【図２】
0005389994.tif 000003
【図３】
0005389994.tif 000004
【図４】
0005389994.tif 000005
【図５】
0005389994.tif 000006
【図６】
0005389994.tif 000007
【図７】
0005389994.tif 000008
【図８】
0005389994.tif 000009
【図９】
0005389994.tif 000010
【図１０】
0005389994.tif 000011
【図１１】
0005389994.tif 000012
【図１２】
0005389994.tif 000013
【図１３】
0005389994.tif 000014
【図１４】
0005389994.tif 000015
【図１５】
0005389994.tif 000016